(57)【要約】【課題】迅速かつ確実にケーブルハンガーをワイヤーに取着させることができるケーブルハンガー組付装置を提供することを目的とする。【解決手段】口開きした抱き込み凹部を形成した取付金具３を有するケーブルハンガー２を保持して取付金具３をワイヤー１への取付位置１０に配置させるハンガーホルダー金型４と、取付位置１０にある取付金具３を塑性変形させて口閉じさせワイヤー１に回転可能に外嵌させるかしめ型５と、取付金具３が長手方向へ位置ずれするのを防止する抱き込み凹部を形成する一対の規制金具７，７を弾性変形を伴わせてワイヤー１に圧入して外嵌固定させるホルダー部材６と、を具備している。【選択図】  図４
2004187433.tif 000002
【特許請求の範囲】
【請求項１】
口開きした抱き込み凹部を形成する取付金具（３）を有するケーブルハンガー（２）を保持して該取付金具（３）をワイヤー（１）への取付位置（１０）に配置させるハンガーホルダー金型（４）と、該取付位置（１０）にある該取付金具（３）を該ハンガーホルダー金型（４）との間にて塑性変形させて口閉じさせ該取付金具（３）を該ワイヤー（１）に回転可能に外嵌させるかしめ型（５）と、該ワイヤー（１）に外嵌された該取付金具（３）が長手方向へ位置ずれするのを防止する抱き込み凹部を形成する一対の規制金具（７）（７）を弾性変形を伴わせて該ワイヤー（１）に圧入して外嵌固定させるホルダー部材（６）と、を具備したことを特徴とするケーブルハンガー組付装置。
【請求項２】
上記ワイヤー（１）に対して直交方向から接近離間自在な押圧盤（１８）に上記かしめ型（５）と上記ホルダー部材（６）とが取付けられ、該かしめ型（５）にて上記取付金具（３）を塑性変形させる際に該ホルダー部材（６）が上記規制金具（７）を上記ワイヤー（１）へ圧入させるよう構成した請求項１記載のケーブルハンガー組付装置。
【請求項３】
上記ホルダー部材（６）は、上記規制金具（７）をその周方向へ回転可能に保持し、該ワイヤー（１）への押しつけ動作により、該規制金具（７）の内周面一端縁部（７ａ）の第一爪片（８）が該ワイヤー（１）に掛かり、該規制金具（７）が回転し、該規制金具（７）の内周面他端縁部（７ｂ）の第二爪片（９）が該ワイヤー（１）に食い込んで該規制金具（７）が該ワイヤー（１）に外嵌固定されるようにした請求項１又は２記載のケーブルハンガー組付装置。
【請求項４】
上記ハンガーホルダー金型（４）は、上記ケーブルハンガー（２）を磁石（１１）により吸着して保持する請求項１，２又は３記載のケーブルハンガー組付装置。
【発明の詳細な説明】
【０００１】
【発明の属する技術分野】
本発明はケーブルハンガーをワイヤーへ組付けるケーブルハンガー組付装置に関する。
【０００２】
【従来の技術】
図１の側面図と図２の正面図に示すケーブルハンガー付きワイヤーは、被吊下線材１２をワイヤー１にて保持する吊架用線であり、図示省略するが、ケーブルハンガー２がワイヤー１に所定ピッチで複数個取着されている。
ケーブルハンガー２は、ワイヤー１に、取付金具３によりワイヤー１の布設前後方向に揺動可能に吊着されており、図２に示すようにワイヤー１の布設前後方向から見て閉ループ形状とされている。また、この取付金具３はワイヤー１に回転可能に外嵌して取着させているため、取付金具３が長手方向へ位置ずれしないよう規制金具７，７を取付金具３の両側に固定させている。
【０００３】
そして、このようなケーブルハンガー付きワイヤーにおいて、ケーブルハンガー２をワイヤー１へ組付ける従来の手段は、先ず、断面略Ｃ字形の取付金具３を専用工具等にてかしめてワイヤー１へ外嵌させ、その後、断面略Ｃ字形の規制金具７を別の専用工具等にて、取付金具３の両側２か所において、夫々拡径状に弾性変形させてワイヤーに外嵌固定させている（例えば、特許文献１参照。）。
【０００４】
【特許文献１】
特開２００１−１１２１５４号公報
【０００５】
【発明が解決しようとする課題】
従来のケーブルハンガー付きワイヤーの組付けは作業性が悪く、複数個のケーブルハンガー２をワイヤー１に取着させるために時間がかかり、生産性の向上が望めないという問題点がある。
【０００６】
そこで本発明は、迅速かつ確実にケーブルハンガーをワイヤーに取着させることができるケーブルハンガー組付装置を提供することを目的とする。
【０００７】
【課題を解決するための手段】
上述の目的を達成するために、本発明に係るケーブルハンガー組付装置は、口開きした抱き込み凹部を形成する取付金具を有するケーブルハンガーを保持して該取付金具をワイヤーへの取付位置に配置させるハンガーホルダー金型と、該取付位置にある該取付金具を該ハンガーホルダー金型との間にて塑性変形させて口閉じさせ該取付金具を該ワイヤーに回転可能に外嵌させるかしめ型と、該ワイヤーに外嵌された該取付金具が長手方向へ位置ずれするのを防止する抱き込み凹部を形成する一対の規制金具を弾性変形を伴わせて該ワイヤーに圧入して外嵌固定させるホルダー部材と、を具備したものである。
また、上記ワイヤーに対して直交方向から接近離間自在な押圧盤に上記かしめ型と上記ホルダー部材とが取付けられ、該かしめ型にて上記取付金具を塑性変形させる際に該ホルダー部材が上記規制金具を上記ワイヤーへ圧入させるよう構成している。
また、上記ホルダー部材は、上記規制金具をその周方向へ回転可能に保持し、該ワイヤーへの押しつけ動作により、該規制金具の内周面一端縁部の第一爪片が該ワイヤーに掛かり、該規制金具が回転し、該規制金具の内周面他端縁部の第二爪片が該ワイヤーに食い込んで該規制金具が該ワイヤーに外嵌固定されるようにしたものである。
また、上記ハンガーホルダー金型は、上記ケーブルハンガーを磁石により吸着して保持している。
【０００８】
【発明の実施の形態】
以下、図示の実施の形態に基づき、本発明を詳説する。
【０００９】
図１及び図２は、本発明に係るケーブルハンガー組付装置により製造されるケーブルハンガー付きワイヤーの側面図及び正面図である。このケーブルハンガー付きワイヤーは、ワイヤー１に所定のピッチで複数のケーブルハンガー２が吊り下げ状とされたものであり、図示省略するが、支柱間に被吊下線材１２（図１の二点鎖線）を吊り下げ保持する架設用線材である。
【００１０】
ケーブルハンガー付きワイヤーは、図１と図２に示すように、ケーブルハンガー２とケーブルハンガー位置規制用の一対の規制金具７，７とにより一組とされ、ワイヤー１の所定位置に組付けられている。ケーブルハンガー２は、ワイヤー１に回転自在に外嵌される取付金具（回転金具）３と、取付金具３に一端部１３が布設前後方向に揺動可能に枢着されると共に布設前後方向から見て（図２に示すように）全体が閉ループ状となって他端部１４がワイヤー１に引っ掛けられるハンガー部１６とを有している。規制金具７は、取付金具３がワイヤー１の長手方向（ワイヤー１の線方向両側）に位置ずれするのを防ぐストッパー金具である。
【００１１】
取付金具３は、口開きした抱き込み凹部を形成する断面略Ｃ字形の抱き込み片部材であり、縮径方向に塑性変形されて、ワイヤー１の外周面と隙間を持つよう外嵌され、取付金具３はワイヤー１の外周面の廻りを自由に回転できる。そして、この取付金具３の外周面に、ハンガー部１６の一端部１３を枢着する軸受部１７を形成している。
規制金具７は、口開きした抱き込み凹部を形成した断面略Ｃ字形の抱き込み片部材であり、弾性変形させて、ワイヤー１の線方向に沿って取付金具３の両側２か所に嵌着させて固定されるものである。
【００１２】
そして、本発明に係るケーブルハンガー組付装置は、取付金具３を有するケーブルハンガー２と一対の規制金具７，７とをワイヤー１に取り付ける装置であり、その側面図を図３に示す。図４は、ケーブルハンガー組付け準備状態にある組付装置の要部を示す側面図であり、図５は、組付作業状態にある側面図である。なお、図示省略するが、ケーブルハンガー２は（ハンガー部１６と取付金具３とは）別工程にて予め組み立てられている。
【００１３】
この組付装置は、図３に示すように、ワイヤー１を挟んで一方側（下方側）の下型２０と、他方側（上方側）の上型１９とを備えており、下型２０は、押圧基盤２１と押圧基盤２１に固定されるハンガーホルダー金型４とを具備している。そして、上型１９は、押圧盤１８と押圧盤１８に固定されるかしめ型５とホルダー部材６とを具備している。押圧基盤２１と押圧盤１８とは対面状とされており、押圧基盤２１は、組付装置のフレームの下方ベース部２２に取付けられた第一伸縮駆動手段（流体シリンダー等）２３により、ワイヤー１に対して直交方向に接近離間自在としている。また、押圧盤１８は、組付装置のフレームの上方ベース部２４に取付けられた第二伸縮駆動手段（流体シリンダー等）２５により、ワイヤー１に対して直交方向に接近離間自在としている。
【００１４】
また、下型２０の押圧基盤２１上であってハンガーホルダー金型４のワイヤー走行前後方向位置に、ワイヤー１をガイドする溝付きローラー部材３８，３８が配設されている。なお、矢印ａはワイヤー１の走行方向（送り方向）であり、間欠的にワイヤー１は送られケーブルハンガー２及び規制金具７が組付けられる。ローラー部材３８，３８によれば、ワイヤー１は、ふらつくことなく所定位置を常に通過することができ、取付金具３と規制金具７，７との相対位置がずれることがなく、所定の取付位置１０に取付金具３と規制金具７，７とを組付けすることができる。
【００１５】
ハンガーホルダー金型４は、取付金具３を有するケーブルハンガー２を保持し、第一伸縮駆動手段２３の作動によりワイヤー１へ取付金具３を接近させ、さらに、取付金具３をワイヤー１への取付位置１０に配置させるものである。
ハンガーホルダー金型４は、図４に示すようにケーブルハンガー２の形状に対応させて形成されたもので、ケーブルハンガー２の一端部１３側（一端部１３を枢支する取付金具３の軸受部１７）を位置決めして保持する第一保持部２６と、他端部１４側を位置決めして保持する第二保持部２７とを、有している。
【００１６】
第一保持部２６は、図６に示すように、段付き形状とされ、取付金具３の軸受部１７を控え平面部２８に載置させると共にそれに直交する平面壁部２９に当接させ、さらに、取付金具３の（口開き部３ａと反対側の）背面部３ｂを台座平面部３０に載置させることで、取付金具３を位置決めできる。そして、控え平面部２８には磁石１１が埋め込まれており、磁石に吸着される材料（亜鉛メッキ線鋼等）からなるハンガー部１６の一端部１３を吸着してケーブルハンガー２を保持する。従って、取付金具３は、その口開き部３ａがワイヤー１側に配置されて保持されることとなる。または、第一保持部２６は、凹窪状とし、取付金具３の軸受部１７を凹窪に載置させ、前後左右方向から位置決めできるようしてもよい。
【００１７】
第二保持部２７は、第一保持部２６と同様に平面部３１とそれに直交する壁部３２とを有しており、ケーブルハンガー２の他端部１４を平面部３１に載置させると共に壁部３２に当接させ、他端部１４を位置決めできる。そして、平面部３１には磁石１１が埋め込まれており、他端部１４を磁石１１により吸着してケーブルハンガー２を保持する。従って、このハンガーホルダー金型４によれば、ケーブルハンガー２（及び取付金具３）を簡単に位置決めしてセットでき、その姿勢を保持したままワイヤー１方向へ移動させることができ、取付金具３を口開き部３ａ側からワイヤー１の取付位置１０へ装着させることができる（図５と図７参照）。
【００１８】
上型１９のかしめ型５は、図７と図８の正面断面図に示すように、取付位置１０にある取付金具３をハンガーホルダー金型４との間にて塑性変形させて（初期状態よりも）口閉じさせ取付金具３をワイヤー１に回転可能に外嵌させる雌型状のものである。具体的に説明すると、かしめ型５はワイヤー１側（下方）へ開口状の凹溝１５を形成しており、凹溝１５は、塑性変形前の取付金具３の口開き部３ａの幅寸法（口開き幅寸法）よりも幅広の開口端部から、奥部へ向かって横断面縮小状となる一対のテーパ面部３３，３３と、テーパ面部３３，３３からさらに奥部へ連設される凹部３４と、により形成されている。
【００１９】
そして、かしめ型５が第二伸縮駆動手段２５の作動によりワイヤー１側へ接近し、ハンガーホルダー金型４の台座平面部３０に載置された取付金具３の端縁（口開き部３ａ）がテーパ面部３３，３３に接触して口閉じ方向に塑性変形され、かしめ型５が所定位置にて停止し、図８に示すように、取付金具３が塑性変形してワイヤー１を抱き込むよう外嵌する。即ち、かしめ型５の上記形状によりかしめ型５を一方向に接近移動させるのみで、取付金具３を口閉じ塑性変形できワイヤー１に組付けすることができる。
【００２０】
次にホルダー部材６について説明すると、図４に示すように、かしめ型５のワイヤー方向（線方向）の両側に一対配設される金型部材であり、一対の規制金具７，７を弾性変形を伴わせてワイヤー１に圧入して２個同時に外嵌固定させるものである。
つまり、上型１９の押圧盤１８（図３参照）に、かしめ型５とホルダー部材６，６とが取付けられており、上述したようにかしめ型５にて取付金具３を塑性変形させる際に、ホルダー部材６が規制金具７をワイヤー１へ圧入させるよう構成している。なお、ワイヤー１は、ハンガーホルダー金型４上と、その下流側位置にある上記ローラ部材３８（図３参照）により支持されているため、ワイヤー１自体の剛性により、ホルダー部材６が一方向のみから（受け金型を用いることなく）規制金具７をワイヤー１へ押し込んでもワイヤーが逃げる（撓む）ことがない。
【００２１】
さらにホルダー部材６は、規制金具７をその周方向へ回転可能に保持している。つまり、図９に示すように、ホルダー部材６は規制金具７の上部をワイヤー１の中心方向へ押圧する押圧平面部３５を有する押圧本体部材３６と、押圧本体部材３６の両側面に取着され押圧平面部３５からワイヤー１側へ（下方へ）突出状とし規制金具７の両側部を挟持する一対の板バネ片３７，３７とを有する。
【００２２】
そして、ホルダー部材６が第二伸縮駆動手段２５の作動によりワイヤー１側へ接近し、図１１に示すように、ホルダー部材６が規制金具７をワイヤー１へ押しつけ、規制金具７が拡径状に弾性変形させて外嵌状に嵌着させる。そして、その後ホルダー部材６を後退させれば、板バネ片３７，３７から規制金具７は容易に離脱できる。
【００２３】
また、規制金具７は、その長手方向に切欠部（開口部）を有する筒状であり、図１、図９と図１０に示すように、その内周面一端縁部７ａ（乃至その近傍）に、内方へ突出する第一爪片８を形成しており、さらに、その反対側の内周面他端縁部７ｂに、内方へ突出する第二爪片９を形成している。なお、図１０に示すように第一爪片８と第二爪片９とは規制金具７の軸方向（長手方向）に位置ずれした位置にある。そして、規制金具７は、ワイヤー１への取付状態で縮径する方向に弾発的に抱き込むよう内径寸法が設定されている。さらに、ワイヤー１が複数本のストランドによる撚線であり、これら爪片８，９がワイヤー１の異なる位置においてストランド間に食い込み、規制金具７は強固にワイヤー１に固定される。
【００２４】
即ち、図１０（イ）と（ロ）に示すように、ストランド間のｂ位置に第一爪片８が食い込み、ｂ位置とは他の位置で別のストランド間であるｃ位置に第二爪片９が食い込んで、規制金具７がワイヤー１に固定される。
つまり規制金具７は、ワイヤー１の撚り形状に対応させて爪片８，９の位置───規制金具７の軸方向位置及び周方向位置───が設定され作製されており、爪片８，９がワイヤー１の両側から夫々ストランド間に食い込んでいる。
【００２５】
従って、ホルダー部材６が規制金具７をワイヤー１へ押しつける際、その押しつけ動作により、規制金具７の第一爪片８がワイヤー１のストランド間（図１０のｂ位置）に引っ掛かり、さらなる押しつけ動作により規制金具７が板バネ片３７，３７間にて拡径状に弾性変形しながら回転し、第二爪片９がワイヤー１の別のストランド間（Ｃ位置）に食い込んで、規制金具７がワイヤー１に外嵌固定される（図１１参照）。なお、上記説明では第一爪片８が先にワイヤー１に掛かってその後第二爪片９がストランド間に嵌まり込むよう説明したが、反対となることもあり、ワイヤー１の撚線の向き（角度）により各作業ごとその回転量・方向が様々となる。
【００２６】
そして、規制金具７が回転する際においても、図１１に示すように、押圧平面部３５に規制金具７の一部が常に接触するため規制金具７を確実にワイヤー１へ押圧でき、さらに、規制金具７が多角形状であっても、板バネ片３７，３７は自由に弾性変形可能であるため、規制金具７が拡径しても無理なく規制金具７を保持しながら回転でき、かつ、その両側を挟持して正確な位置に嵌め込ませることができる。
【００２７】
【発明の効果】
本発明は上述の構成により次のような効果を奏する。
【００２８】
（請求項１によれば）複雑な金型の移動を行うことなく、ハンガーホルダー金型４とかしめ型５とを接近させることにより、ハンガーホルダー金型４に保持された取付金具３をワイヤー１に外嵌させることができる。また、規制金具７を塑性変形（かしめ等）させることなくワイヤー１に圧入して外嵌固定させることで、作業工程が簡略化できる。また、規制金具７の固定のために、かしめ等を行う金型が不要であり装置の簡素化も図れる。
（請求項２によれば）ホルダー部材６用の駆動手段とかしめ型５用の駆動手段とを共通化させることが可能となり、装置の作動において制御が容易で装置を安価にすることができる。さらに、かしめ型５とハンガーホルダー金型４とを接近させることにより、取付金具３と規制金具７とを同時にワイヤー１へ取着させることができ、効率よくケーブルハンガー２とワイヤー１とを組付けることができる。
【００２９】
（請求項３によれば）第一爪片８と第二爪片９とにより、規制金具７がワイヤー１の線方向にずれることがないよう強固にワイヤー１へ取着させることができる。また、撚線であるワイヤー１に対して、規制金具７をワイヤー１に外嵌させる際、規制金具７の第一爪片８がワイヤー１に引っ掛かり、ワイヤー１の撚りに応じて自動的に規制金具７が自由に回転でき、第二爪片９をさらにワイヤー１に食い込ませることで、確実に規制金具７をワイヤー１に取着させることができる。
（請求項４によれば）ケーブルハンガー２の姿勢を保持したまま、取付位置１０まで移動させることができ、さらに、ケーブルハンガー２の取付金具３をワイヤー１に外嵌させた後は、ハンガーホルダー金型４を後退させれば、ケーブルハンガー２と自動的に分離でき、可動するチャック機構を有することがなく装置の簡素化が図れる。
【図面の簡単な説明】
【図１】本発明のケーブルハンガー組付装置により製造されるケーブルハンガー付きワイヤーの側面図である。
【図２】ケーブルハンガー付きワイヤーの正面図である。
【図３】本発明のケーブルハンガー組付装置の実施の一形態を示す側面図である。
【図４】ケーブルハンガー組付け準備状態にある組付装置の要部側面図である。
【図５】ケーブルハンガー組付け作業状態にある組付装置の要部側面図である。
【図６】ハンガーホルダー金型の側部断面図である。
【図７】取付金具がワイヤーへ取付けされる前の状態を説明する正面図である。
【図８】取付金具がワイヤーへ取付けされる状態を説明する正面図である。
【図９】規制金具がワイヤーへ取付けされる前の状態を説明する正面図である。
【図１０】ワイヤーに取付けられる規制金具の説明図である。
【図１１】規制金具がワイヤーへ取付けされる状態を説明する正面図である。
【図１２】規制金具がワイヤーへ回転しながら組付けされた状態を説明する正面図である。
【符号の説明】
１  ワイヤー
２  ケーブルハンガー
３  取付金具
４  ハンガーホルダー金型
５  かしめ型
６  ホルダー部材
７  規制金具
７ａ  一端縁部
７ｂ  他端縁部
８  第一爪片
９  第二爪片
１０  取付位置
１１  磁石
１８  押圧盤
【図１】
2004187433.tif 000003
【図２】
2004187433.tif 000004
【図３】
2004187433.tif 000005
【図４】
2004187433.tif 000006
【図５】
2004187433.tif 000007
【図６】
2004187433.tif 000008
【図７】
2004187433.tif 000009
【図８】
2004187433.tif 000010
【図９】
2004187433.tif 000011
【図１０】
2004187433.tif 000012
【図１１】
2004187433.tif 000013
【図１２】
2004187433.tif 000014